(57)【要約】      （修正有）【課題】  収穫前処理部を強固に固定される状態に能率よく梱包作業することができる梱包体を提供する。【解決手段】  梱包体の取付けフレーム１２，１３、ベースパレット３１に基端側連結部１７ａ，１７ｂ，１７ｃ，３４及び先端側連結部１８ａ，１８ｂ，１８ｃ，３５を設けてある。基端側連結部は、収穫前処理部の前処理部フレームのメインフレーム４１のうち、収穫機の自走機体の支持部に連結される連結部分５１に対して連結するように構成してある。先端側連結部は、前処理部フレームのメインフレーム４１のうち、収穫前処理部を自走機体に対して昇降操作する昇降駆動機構に連動される昇降操作部分５２に対して連結するように構成してある。【選択図】図１
2006027717.tif 000002
【特許請求の範囲】
【請求項１】
自走機体に昇降駆動機構による揺動昇降操作が自在に連結されて収穫機を構成する収穫前処理部を梱包する収穫前処理部用梱包体であって、
前記収穫前処理部を収穫前処理部用梱包体の内部に固定するべく収穫前処理部の前処理部フレームの基端側と先端側に別れて前記前処理部フレームに支持作用する基端側連結部と先端側連結部とを備え、
前記基端側連結部は、前記前処理部フレームのうち、前記自走機体が収穫前処理部を揺動昇降自在に支持するように備える支持部に装着するための連結部分に対して連結するように構成し、
前記先端側連結部は、前記前処理部フレームのうち、前記昇降駆動機構による昇降操作力が付与されるように昇降駆動機構に連動させるための昇降操作部分に対して連結するように構成してある収穫前処理部用梱包体。
【請求項２】
前記収穫前処理部の複数個を収容する下段側梱包スペースと、前記収穫前処理部の複数個を前記下段側梱包スペースの収穫前処理部用梱包体上下方向での上側で収容する上段側梱包スペースとを備え、
前記下段側梱包スペースは、前記複数個の収穫前処理部を各収穫前処理部の機体側面視での長手方向が収穫前処理部用梱包体の上下向きになる状態で収穫前処理部用梱包体の横方向に並べて収容するように設定し、
前記上段梱包スペースは、前記複数個の収穫前処理部を各収穫前処理部の機体側面視での長手方向が収穫前処理部用梱包体の横向きになる状態で収穫前処理部用梱包体の横方向に並べて収容するように設定してある請求項１記載の収穫前処理部用梱包体。
【請求項３】
前記収穫前処理部用梱包体は、前記下段側梱包スペースを備えた下段側分割梱包体と、前記上端側梱包スペースを備えた上段側分割梱包体とに分割自在になっている請求項２記載の収穫前処理部用梱包体。
【発明の詳細な説明】
【技術分野】
【０００１】
本発明は、自走機体に昇降駆動機構による揺動昇降操作が自在に連結されて収穫機を構成する収穫前処理部を梱包する収穫前処理部用梱包体に関する。
【背景技術】
【０００２】
コンバインなどの収穫機において、収穫前処理部を自走機体に対して分離した状態で輸送するには、梱包体で梱包して輸送される。この梱包体にあっては、収穫前処理部を梱包体の内部に連結手段によって固定して梱包するように構成される。
【０００３】
すなわち、例えば特許文献１に示されるように、二輪車を輸送するリターナブルケース２０にあっては、リターナブルケース２０を構成するパレットユニット１Ａの一端側にタイヤ受け止めロッド１１を備えた前輪保持機構を設け、パレットユニット１Ａの他端側にクランプ板１３を有した後輪保持機構を設け、これらの保持機構などによって二輪車をリターナケーブルケース２０の内部に固定するように構成されている。
【０００４】
【特許文献１】特開２００２−１４５３７８号公報（〔００２６〕、〔００２７〕段、図４，５）
【発明の開示】
【発明が解決しようとする課題】
【０００５】
収穫前処理部を梱包する梱包体において、梱包体に数多くの連結部を設けて収穫前処理部を固定するように構成すると、収穫前処理部の梱包作業を行なう際、収穫前処理部を数多くの連結部に対して連結する操作が必要になって作業能率が悪くなる。
【０００６】
本発明の目的は、収穫前処理部を梱包体に強固に固定される状態で梱包することができながら、能率よく梱包作業を行なうことができる前処理部用梱包体を提供することにある。
【課題を解決するための手段】
【０００７】
本第１発明にあっては、自走機体に昇降駆動機構による揺動昇降操作が自在に連結されて収穫機を構成する収穫前処理部を梱包する収穫前処理部用梱包体において、
前記収穫前処理部を収穫前処理部用梱包体の内部に固定するべく収穫前処理部の前処理部フレームの基端側と先端側に別れて前記前処理部フレームに支持作用する基端側連結部と先端側連結部とを備え、
前記基端側連結部は、前記前処理部フレームのうち、前記自走機体が収穫前処理部を揺動昇降自在に支持するように備える支持部に装着するための連結部分に対して連結するように構成し、
前記先端側連結部は、前記前処理部フレームのうち、前記昇降駆動機構による昇降操作力が付与されるように昇降駆動機構に連動させるための昇降操作部分に対して連結するように構成してある。
【０００８】
すなわち、前処理部フレームの前記連結部分を収穫前処理部用梱包体の基端側連結部に連結し、前処理部フレームの前記昇降操作部分を収穫前処理部用梱包体の先端側連結部に連結することにより、収穫前処理部を梱包体に固定するものである。前処理部フレームの連結部分や昇降操作部分は、自走機体の前記支持部や昇降駆動機構に連結又は連動されるものであることから、前処理部フレームのその連結部分や昇降操作部分を梱包体によって支持される部位にすることによって収穫前処理部を梱包体に固定すれば、収穫前処理部の重量が梱包体にバランスよく掛かるようにして収穫前処理部を梱包体に固定することができる。これにより、収穫前処理部に対して支持作用するようにして梱包体に設ける前記基端側連結部や先端側連結部などの連結部の数を少なくしても、その連結部の数量の割には、収穫前処理部を揺れ動きやずれ動きが発生しにくい状態にして梱包体に固定することができる。
【０００９】
従って、本第１発明によれば、前処理部フレームにおける前記連結部分や昇降操作部分の梱包体における基端側連結部や先端側連結部に対する連結により、収穫前処理部をずれ動きにくいように強固に固定される状態にして梱包することができる。それでありながら、梱包体に収穫前処理部を支持させるべく設ける連結部の数を極力少なく済ませ、収穫前処理部を梱包体に対して連結する操作が少なくて済んで能率よく梱包作業することができる。
【００１０】
本第２発明にあっては、本第１発明の構成において、前記収穫前処理部の複数個を収容する下段側梱包スペースと、前記収穫前処理部の複数個を前記下段側梱包スペースの収穫前処理部用梱包体上下方向での上側で収容する上段側梱包スペースとを備え、前記下段側梱包スペースは、前記複数個の収穫前処理部を各収穫前処理部の機体側面視での長手方向が収穫前処理部用梱包体の上下向きになる状態で収穫前処理部用梱包体の横方向に並べて収容するように設定し、前記上段梱包スペースは、前記複数個の収穫前処理部を各収穫前処理部の機体側面視での長手方向が収穫前処理部用梱包体の横向きになる状態で収穫前処理部用梱包体の横方向に並べて収容するように設定してある。
【００１１】
すなわち、下段側梱包スペースに複数個の収穫前処理部を収穫前処理部の長手方向が収穫前処理部用梱包体の上下向きになる状態で収容し、上段側梱包スペースに複数個の収穫前処理部を収穫前処理部の長手方向が収穫前処理部用梱包体の横向きになる状態で収容するものであるから、複数個の収穫前処理部をコンテナの積載スペースに無駄な空きスペースが極力できないようにして積載することが可能なようにまとめて梱包することができる。
【００１２】
従って、本第２発明によれば、コンテナに積載して輸送するに当たり、コンテナの積載スペースに無駄な空きスペースが極力できないように極力多量の収穫前処理部を積載し、輸送費の低減を図りながら輸送することができる。
【００１３】
本第３発明にあっては、本第２発明の構成において、前記収穫前処理部用梱包体は、前記下段側梱包スペースを備えた下段側分割梱包体と、前記上端側梱包スペースを備えた上段側分割梱包体とに分割自在になっている。
【００１４】
すなわち、下段側分割梱包体と上段側分割梱包体とを各分割梱包体に分かれた状態にして、分かれた状態にある各分割梱包体に収穫前処理部を収納し、この後に両分割梱包体を一つの梱包体に組み立てるという梱包方法を採用して、所定数量の収穫前処理部を梱包した状態を得ることができるものである。
【００１５】
従って、本第３発明によれば、下段側分割梱包体と上段側分割梱包体とに分けて、梱包体や収穫前処理部の取り扱いや収納操作が容易になるようにして収穫前処理部を梱包し、複数個の収穫前処理部をまとめて梱包するものでありながら梱包作業を楽に能率よく行なうことができる。
【発明を実施するための最良の形態】
【００１６】
以下、本発明の実施例を図面に基づいて説明する。
図１−３は、コンバインの刈取り前処理部１の複数個をまとめて梱包するための梱包体を示し、この梱包体は、下段ベースパレット１１を有した下段側分割梱包体１０と、この下段側分割梱包体１０の上端側の連結フレームに兼用のスペーサフレーム２０と、このスペーサフレーム２０を介して下段側分割梱包体１０の上に載った上段ベースパレット３１を有した上段側分割梱包体３０と、上段ベースパレット３１の複数箇所において上段側分割梱包体３０と下段側分割梱包体１０を連結している連結手段２１とを備えて構成してある。
【００１７】
この梱包体が梱包対象とする刈取り前処理部１について説明すると、図１２，１３に示すように、この刈取り前処理部１には、図１５の如き入力ケース４０を基端側に備えた鋼管材で成る機体前後向きの前処理部メインフレーム４１、この前処理部メインフレーム４１の前端部に連結された図１６の如き機体横向きの支持フレーム４２、この支持フレーム４２の機体横方向での複数箇所から機体前方向きに延出する分草フレーム４３などを備えて構成した前処理部フレーム４４、前記各分草フレーム４３の先端部に連結杆４５ａで脱着自在に装着した分草具４５、この分草具４５の後側近くで機体横方向に並ぶ左右一対の引起し装置４６、前記分草フレーム４３の基端側の上方に位置するバリカン形の刈取装置４７、この刈取装置４７の上方近くで機体横方向に並ぶ左右一対の補助搬送装置４８、この補助搬送装置４８の搬送終端部の上方に搬送始端部が位置する供給搬送装置４９を備えてある。
【００１８】
図１２，１５などに示すように、前記前処理部メインフレーム４１の基端部に前記入力ケース４０が有する入力軸５０を介して連結するように構成した左右一対の軸支部材で成る連結部分５１を、前処理部フレーム４４の基端側に備え、前記前処理部メインフレーム４１の中間部に付設したブラケットで成る昇降操作部分５２を、前処理部フレーム４４の前記連結部分５１よりも先端側に位置する部位に備えてある。
【００１９】
すなわち、図１２などに示す如く前記左右一対の連結部分５１を、コンバイン用の自走機体の機体フレーム２の前端部に備えられた左右一対の支持部３に対して各別に連結ボルトによって脱着自在に連結し、かつ、図１４などに示す如く前記昇降操作部分５２に連結ボルトによって脱着自在に連結したブラケット４に、前記自走機体の前部に備えられた昇降駆動機構５のネジシリンダ５ａを連結して、前記昇降操作部分５２を前記昇降駆動機構５に連動させることにより、刈取り前処理部１は、稲や麦などの穀粒を収穫するコンバインを構成する。
【００２０】
図１４に示すように、昇降駆動機構５は、前記ネジシリンダ５ａ、このネジシリンダ５ａのネジ軸５ｂに自在継ぎ手５ｃを介して連動しているとともに自走機体の支持フレーム７によって回動自在に支持されているシリンダ駆動スプロケット５ｄ、このシリンダ駆動スプロケット５ｄに伝動チェーン５ｅを介して連動している伝動軸５ｆなどを備えて構成してある。すなわち、伝動軸５ｆに対して伝動ベルト８を介して正回転駆動力が伝達されると、昇降駆動機構５は、上昇操作状態になり、伝動軸５ｆから伝動チェーン５ｅを介して伝達される駆動力によってシリンダ駆動スプロケット５ｄを上昇回転側に駆動してネジシリンダ５ａを伸張作動させ、このネジシリンダ５ａによって前処理部メインフレーム４１を上昇揺動させて刈り取り前処理部１を揺動上昇操作する。伝動軸５ｆに対して伝動ベルト８を介して逆回転駆動力が伝達されると、昇降駆動機構５は、下降操作状態になり、伝動軸５ｆから伝動チェーン５ｅを介して伝達される駆動力によってシリンダ駆動スプロケット５ｄを下降回転側に駆動してネジシリンダ５ａを短縮作動させ、このネジシリンダ５ａによって前処理部メインフレーム４１を下降揺動させて刈り取り前処理部１を揺動下降操作する。伝動軸５ｆに対する動力伝達が絶たれると、昇降駆動機構５は、停止状態になり、シリンダ駆動スプロケット５ｄの駆動を停止してネジシリンダ５ａの伸縮作動を停止させ、前処理部メインフレーム４１を昇降調節位置に停止させて刈取り前処理部１を昇降調節位置に保持する。
【００２１】
つまり、刈取り前処理部１は、自走機体に対して入力軸５０の軸芯まわりで揺動昇降するように連結されており、昇降駆動機構５を上昇操作状態や下降操作状態に操作すると、この昇降駆動機構５のネジシリンダ５ａがシリンダブラケット４を介して前処理部フレーム４４の昇降操作部分５２に下降や上昇操作力を付与して前処理部フレーム４４を上昇側や下降側に揺動操作することにより、刈取り前処理部１を分草具４５や刈取装置４７が地面上近くに下降した下降作業状態と、分草具４５や刈取装置４７が地面上から高く上昇した上昇非作業状態とに昇降操作する。刈取り前処理部１を下降作業状態にして自走機体を走行させると、刈取り前処理部１は、植立穀稈を分草具４５によって刈取り対象と非刈取り対象とに分草し、刈取り対象の植立穀稈を引起し装置４６によって引起し処理しながら、その株元側を補助搬送装置４８の無端回動ベルト４８ａの係止アーム４８ｂと、掻込み回転体４８ｃの掻込み突起とによって刈取装置４７に供給してこの刈取装置４７によって刈取り処理し、刈取穀稈を掻込み回転体４８ｃの掻込み突起によって刈取装置４７の後方の供給搬送装置４９の搬送始端部に送り込み、その刈取り穀稈を供給搬送装置４９の株元側挟持搬送チェーン４９ａと、穂先側係止搬送チェーン４９ｂの係止爪４９ｃとによって機体後方向きに搬送して自走機体が有する脱穀装置６の脱穀フィードチェーン６ａに供給する。脱穀装置６は、脱穀フィードチェーン６ａによって刈取穀稈の株元側を機体後方向きに挟持搬送し、その穂先側を扱室（図示せず）に供給して脱穀処理する。
【００２２】
刈取り前処理部１についてさらに詳述すると、図１２，１３，１５，１６に示すように、前記左右一対の引起し装置４６のうちの右側の引起し装置４６は、この引起し装置４６の近くに位置する分草フレーム４３の先端部から延出する支持アーム５３と、前記入力ケース４０から延出する筒形の伝動ケース５４を介して前記入力ケース４０に連結しているギヤケース５５とに支持されており、前記入力ケース４０が有する入力軸５０の駆動力を前記伝動ケース５４及びギヤケース５５を介して入力して駆動するようになっている。前記左右一対の引起し装置４６のうちの左側の引起し装置４６は、この引起し装置４６の近くに位置する分草フレーム４３の先端部から延出する支持アーム５３と、前記支持フレーム４２の伝動ケース部４２ａの一端側に位置するギヤケース部４２ｂから機体上方向きに延出する筒形の引起し伝動ケース５６の延出端部とに支持されており、前記入力軸５０から前記ギヤケース５５に伝達された駆動力を前記ギヤケース５５の下端部から前記支持フレーム４２の前記伝動ケース部４２ａの他端側に位置するギヤケース部４２ｃまで延出している伝動軸（図示せず）、前記支持フレーム４２の前記伝動ケース部４２ａ、前記引起し伝動ケース５６を介して入力して駆動するようになっている。刈取装置４７は、前記各分草フレーム４３の基端部に支持されており、そして、前記入力軸５０から前記支持フレーム４２の前記ギヤケース部４２ｃに伝達された駆動力によって駆動するようになっている。前記左右一対の補助搬送装置４８のうちの右側の補助搬送装置４８は、この補助搬送装置４８の搬送始端側の近くに位置する分草フレーム４３が有する前記支持アーム５３などによって支持されており、この右側の補助搬送装置４８の無端回動ベルト４８ａ及び掻込み回転体４８ｃは、前記入力軸５０から前記ギヤケース５５に伝達された駆動力を、前記ギヤケース５５から延出する筒形伝動軸５７によって入力して駆動するようになっている。前記左右一対の補助搬送装置４８のうちの左側の補助搬送装置４８は、この補助搬送装置４８の搬送始端側の近くに位置する分草フレーム４３が有する前記支持アーム５３などによって支持されており、この左側の補助搬送装置４８の無端回動ベルト４８ａ及び掻込み回転体４８ｃは、左右の補助搬送装置４８の掻込み回転体４ｂｃどうしの噛合いによって右側の補助搬送装置４８から動力伝達して駆動するようになっている。供給搬送装置４９は、前記入力軸５０の一端側に連結されている供給駆動ケース５８から延出する図１２の如き支持杆５９に支持されており、この供給搬送装置４９の株元側挟持搬送チェーン４９ａ及び穂先側係止搬送チェーン４９ｂは、前記入力軸５０にベベルギヤ機構６０を介して連動している供給駆動ケース５８の駆動軸６１によって駆動されるようになっている。
【００２３】
次に、梱包体について詳述する。
図２，３，５に示すように、下段側分割梱包体１０は、梱包体横方向に沿う角形鋼管材で成る梱包体横向き杆１１ａの一対と、この一対の横向き杆１１ａを梱包体横方向での複数箇所で連結する梱包体前後方向に沿う角形鋼管材で成る連結杆１１ｂとを備えて構成した前記下段ベースパレット１１、この下段ベースパレット１１の梱包体横方向での一端部に立設した梱包体上下向きに沿う第１取付けフレーム１２、前記下段ベースパレット１１の梱包体横方向での中間部に立設した梱包体上下向きに沿う第２取付けフレーム１３、前記下段ベースパレット１１の中間部や他端部に立設した梱包体上下向きに沿う縦フレーム１４、前記第１取付けフレーム１２、及び、この第１取付けフレーム１２に隣り合う縦フレーム１４の梱包体前後方向での両端側において第1取付けフレーム１２と縦フレーム１４の上端部や中間部どうしを連結する梱包体横方向に沿う角形鋼管材で成る梱包体横向きの第１連結フレーム１５、前記下段ベースパレット１１の他端部に位置する縦フレーム１４、及び、この縦フレーム１４に隣り合う前記第２取付けフレーム１３の梱包体前後方向での両端側において縦フレーム１４と第２取付けフレーム１３の上端部や中間部どうしを連結する梱包体横方向に沿う角形鋼管材で成る梱包体横向きの第２連結フレーム１６を備えて構成してある。
【００２４】
図３，５などに示すように、前記第１取付けフレーム１２、第２取付けフレーム１３、各縦フレーム１４のそれぞれは、梱包体上下方向に沿う角形鋼管材で成る梱包体上下向き杆１２ａ，１３ａ，１４ａの一対と、この一対の上下向き杆１２ａ，１３ａ，１４ａの上端部や下端部どうしを連結する梱包体前後方向に沿う角形鋼管材で成る連結杆１２ｂ，１３ｂ，１４ｂとを備えて構成してある。
【００２５】
図５，６などに示すように、前記第１取付けフレーム１２の内側に、この第1取付けフレーム１２の上端側で梱包体前後方向に並ぶ一対の第１基端側連結部１７ａと、この第１基端側連結部１７ａから梱包体下方側に離れた部位に位置する第１先端側連結部１８ａとを設けてある。一対の第1基端側連結部１７ａは、取付け杆１２ｃを介して前記一対の上下向き杆１２ａに支持させてある。第1先端側連結部１８ａは、取付け杆１２ｄを介して前記一対の上下向き杆１２ａに支持させてある。
【００２６】
図３，５，７などに示すように、前記第２取付けフレーム１３に、この第２取付けフレーム１３の中間部付近で梱包体前後方向に並ぶ一対の第２基端側連結部１７ｂと、この第２基端側連結部１７ｂから梱包体上方側に離れた部位に位置する第２先端側連結部１８ｂと、第２取付けフレーム１３の上端部付近で梱包体前後方向に並んでいる一対の第３基端側連結部１７ｃと、この第３基端側連結部１７ｃから梱包体下方側に離れた部位に位置する第３先端側連結部１８ｃとを設けてある。一対の第２基端側連結部１７ｂ及び第３先端側連結部１８ｃは、取付け杆１３ｃを介して前記一対の上下向き杆１３ａに支持させてある。第３基端側連結部１７ｃは、取付け杆１３ｄを介して前記一対の上下向き杆１３ａに支持させてある。第２先端側連結部１８ｂは、前記両取付け杆１３ｃ，１３ｄを介して前記一対の上下向き杆１３ａに支持させてある。
【００２７】
図２，３，４などに示すように、上段側分割梱包体３０は、梱包体横方向に沿う角形鋼管材で成る梱包体横向き杆３１ａの一対と、この一対の横向き杆３１ａを梱包体横方向での複数箇所で連結する梱包体前後向きの角形鋼管材で成る連結杆３１ｂとを備えて構成した前記上段ベースパレット３１、この上段ベースパレット３１の周部の複数箇所に立設した梱包体上下方向に沿う角形鋼管材で成る梱包体上下向き杆３２、各上下向き杆３２の上端部に連結した上端フレーム３３を備えて構成してある。
【００２８】
上段ベースパレット３１の梱包体横方向での両端側に、梱包体前後方向に並ぶ一対の第４基端側連結部３４と、この第４基端側連結部３４から上段ベースパレット３１の梱包体横方向での中心側に離れた部位に位置する第４先端側連結部３５とを設けてある。上段ベースパレット３１の一端側に位置する一対の第４基端側連結部３４は、取付け杆３６介して前記一対の横向き杆３１ａに支持させてあり、上段ベースパレット３１の一端側に位置する第４先端側連結部３５は、取付け杆３７を介して前記一対の横向き杆３１ａに支持させてある。上段ベースパレット３１の他端側に位置する一対の第４基端側連結部３４は、取付け杆３８を介して前記一対の横向き杆３１ａに支持させてあり、上段ベースパレット３１の他端側に位置する第４先端側連結部３５は、取付け杆３９を介して前記一対の横向き杆３１ａに支持させてある。
【００２９】
図３，４などに示すように、上端フレーム３３は、梱包体横方向に沿う角形鋼管材で成る梱包体横向き杆３３ａの一対と、この一対の横向き杆３３ａを梱包体横方向での複数箇所で連結する梱包体前後向きの角形鋼管材で成る連結杆３３ｂとを備えて構成してある。
【００３０】
図８などに示すように、下段側分割梱包体１０の前記第１先端側連結部１８ａ、第２先端側連結部１８ｂ、第３先端側連結部１８ｃ、及び、上段側分割梱包体３０の各第４先端側連結部３５は、前記取付け杆１２ｄ，１３ｃ，３７，３９から延出する角形鋼管材で成るフレーム受け体７０、このフレーム受け体７０の両横側に分散させて設けた一対の固定板７１を備えて構成してある。
【００３１】
すなわち、図６，７，９に示すように、前記前処理部メインフレーム４１を固定板７１どうしの間に入り込ませ、前記昇降操作部分５２と両固定板７１とにわたってロックボルト７２を装着すると、各先端側連結部１８ａ，１８ｂ，１８ｃ，３５は、昇降操作部分５２に対してロック作用して前処理部メインフレーム４１をフレーム受け体７０に対して固定し、これによって前処理部フレーム４４の前記連結部分５１よりも先端側を下段側分割梱包体１０の取付けフレーム１２，１３や上段側分割梱包体３０の上段ベースパレット３１に固定するように連結作用状態になる。このとき、図９に示すように、一方の固定板１７と昇降操作部分５２との間に、樹脂板で成るスペーサ７４を介装する。前記ロックボルト７２を取り外すことにより、各先端側連結部１８ａ，１８ｂ，１８ｃ，３５は、昇降操作部分５２に対するロック作用を解除することにより、前処理部フレーム４４の先端側の取付けフレーム１２，１３や上段ベースパレット３１に対する固定を解除する。各先端側連結部１８ａ，１８ｂ，１８ｃ，３５における固定板７１及びフレーム受け体７０は、緩衝ゴム７３を介して前処理部メインフレーム４１や昇降操作部分５２に当接するように構成してある。
【００３２】
図６，７に示すように、下段側分割梱包体１０の前記各第1基端側連結部１７ａ、各第２基端側連結部１７ｂ、各第３基端側連結部１７ｃは、この基端側連結部１７ａ，１７ｂ，１７ｃと、前記前処理部フレーム４４の前記連結部分５１とにわたって連結ボルト７５を装着すると、この連結ボルト７５によって連結部分５１を基端側連結部１７ａ，１７ｂ，１７ｃに締め付け連結することにより、前処理部フレーム４４の基端側を下段側分割梱包体１０の取付けフレーム１２，１３に固定するように連結作用状態になる。前記連結ボルト７５を取り外すことにより、各基端側連結部１７ａ，１７ｂ，１７ｃは、連結部分５１に対する連結作用を解除することにより、前処理部フレーム４４の基端側の取付けフレーム１２，１３に対する固定を解除する。
【００３３】
上段側分割梱包体３０の前記各第４基端側連結部３４は、下段側分割梱包体１０の前記各第1基端側連結部１７ａ、各第２基端側連結部１７ｂ、各第３基端側連結部１７ｃと同様に構成してあり、第４基端側連結部３４と、前記前処理部フレーム４４の前記連結部分５１とにわたって装着した連結ボルトによって連結部分５１を基端側連結部３４に締め付け連結することにより、前処理部フレーム４４の基端側を上段側分割梱包体３０のベースパレット３１に固定するように連結作用状態になる。
【００３４】
これにより、図１に下段側分割梱包体１０で刈取り前処理部１を梱包した状態を示すように、下段側分割梱包体１０は、下段ベースパレット１１、第１取付けフレーム１２、各縦フレーム１４、各第１連結フレーム１５、各第２連結フレーム１６により、下段ベースパレット１１の上方の下段側分割梱包体１０の両横端に分かれて位置する第１取付けフレーム１２と縦フレーム１４との間で、かつ、梱包体前後方向に並ぶ第１連結フレーム１５どうしや第２連結フレーム１６どうしの間で、さらに、下段側分割梱包体１０の横方向での中間部に位置する縦フレーム１４及び第２取付けフレーム１３の上下向き杆１４ａ，１３ａどうしの間に下段側梱包スペースＳ１（図２，３，５参照）を形成し、この下段側梱包スペースＳ１に、刈取り前処理部１の３個を各刈取り前処理部１の全ての分草具４５、刈取装置４７、シリンダ用ブラケット４を取り外した状態にして、かつ、各刈取り前処理部１の機体側面視での長手方向が梱包体上下向きになった状態にして梱包体横方向に並べて収容するようになっている。下段側梱包スペースＳ１に収容した３個の刈取り前処理部１のうち、一方の横端に位置する刈取り前処理部１は、前処理部フレーム４４の基端側の一対の連結部分５１を第１基端側連結部１７ａに連結して支持させ、前処理部フレーム４４の昇降操作部分５２を第1先端側連結部１８ａに連結して支持させることによって下段側分割梱包体１０の内部に固定するようになっている。中央に位置する刈取り前処理部１は、前処理部フレーム４４の基端側の一対の連結部分５１を第２基端連結部１７ｂに連結して支持させ、前処理部フレーム４４の昇降操作部分５２を第２先端側連結部１８ｂに連結して支持させることによって下段側分割梱包体１０の内部に固定するようになっている。他方の横端に位置する刈取り前処理部１は、前処理部フレーム４４の基端側の連結部分５１を第３基端側連結部１７ｃに連結して支持させ、前処理部フレーム４４の昇降操作部分５２を第３先端側連結部１８ｃに連結して支持させることによって下段側分割梱包体１０の内部に固定するようになっている。
【００３５】
図１に上段側分割梱包体３０で刈取り前処理部１を梱包した状態を示すように、上段側分割梱包体３０は、上段ベースパレット３１、各上下向き杆３２、上端フレーム３３により、上段ベースパレット３１と上端フレーム３３の間の梱包体前後方向に並ぶ上下向き杆３２どうしの間に上段側梱包スペースＳ２（図２，３，４参照）を形成し、この上端側梱包スペースＳ２に、刈取り前処理部１の２個を各刈取り前処理部１の全ての分草具４５、刈取装置４７、シリンダ用ブラケット４を取り外した状態にして、かつ、各刈取り前処理部１の機体側面視での長手方向が梱包体横向きになった状態にして梱包体横方向に並べて収容するようになっている。上段側梱包スペースＳ２に収容した各刈取り前処理部１は、刈取り前処理部１の下方に位置する第４基端側連結部３４と第４先端側連結部３５のうちの第４基端側連結部３４に前処理部フレーム４４の基端側の一対の連結部分５１を連結して支持させ、第４先端側連結部３５に前処理部フレーム４４の昇降操作部分５２を連結して支持させることによって上段側分割梱包体３０の内部に固定するようになっている。
【００３６】
スペーサフレーム２０は、梱包体横方向に沿う角形鋼管材で成る梱包体横向き杆２０ａの一対と、この一対の横向き杆２０ａを梱包体横方向での複数箇所で連結する梱包体前後方向に沿う角形鋼管材で成る連結杆２０ｂとを備えて構成してある。
【００３７】
図２，５に示すように、前記各連結手段２１は、上段側分割梱包体３０の上段ベースパレット３１の横向き杆３１ａと前記スペーサフレーム２０の横向き杆２０ａとの間に介装する脱着自在なスペーサ２２、上段ベースパレット３１の横向き杆３１ａとスペーサフレーム２０の横向き杆２０ａと下段側分割梱包体１０の第１連結フレーム１５や第２連結フレーム１６とにわたって装着されて上段ベースパレット３１と下段側分割梱包体１０の連結フレーム１５や１６を締め付け連結する脱着自在な連結ボルト２３を備えて構成してあり、スペーサ２２によってパレット３１やフレーム２０，１５，１６の変形を抑制しながら下段側分割梱包体１０と上段側分割梱包体３０とを分離自在に連結するようになっている。
【００３８】
スペーサフレーム２０は、前記各連結手段２１の近くでスペーサフレーム２０の前記横向き杆２１ａと、下段側分割梱包体１０の前記第１連結フレーム１５や第２連結フレーム１６とにわたって装着される脱着自在な連結ボルト７６により、下段側分割梱包体１０に対して脱着自在に連結するようになっている。
【００３９】
つまり、この梱包体は、刈取り前処理部１を輸送する際、次の要領で組み立てるとともに、５個の刈取り前処理部１を全ての刈取り前処理部１の全ての分草具４５、刈取装置４７、シリンダ用ブラケット４を取り外した状態にして梱包するようになっている。
【００４０】
すなわち、下段側分割梱包体１０と上段側分割梱包体３０の各連結手段２１による連結を解除して梱包体を下段側分割梱包体１０と上段側分割梱包体３０とに分割した状態にし、下段側分割梱包体１０と上段側分割梱包体３０とを別々に取り扱って刈取り前処理部１を梱包する。
【００４１】
下段側分割梱包体１０に梱包するには、第1取付けフレーム１２、第２取付けフレーム１３、各縦フレーム１４を立設した下段ベースパレット１１の上方における第1取付けフレーム１２と下段ベースパレット中間部に位置する縦フレーム１４の間、下段ベースパレット中間部に位置する縦フレーム１４と第２取付けフレーム１３の間、第２取付けフレーム１３と下段ベースパレット横端に位置する縦フレーム１４の間に、刈取り前処理部１を刈取り前処理部１の機体側面視での長手方向が梱包体上下向きになる姿勢にして、かつ、前処理部フレーム４４の位置する側が取付けフレーム１２，１３に対向する向きにして配置するとともに、各刈取り前処理部１の前処理部フレーム４４の連結部分５１及び昇降操作部分５２を、その刈取り前処理部１に対応する基端側連結部１７ａ，１７ｂ，１７ｃ及び先端側連結部１８ａ，１８ｂ，１８ｃに連結する。この後、各第1連結フレーム１５、各第２連結フレーム１６及びスペーサフレーム２０を組み付ける。
【００４２】
上段側分割梱包体３０に梱包するには、上段ベースパレット３１の梱包体横方向での一端側及び他端側の上方に、刈取り前処理部１を刈取り前処理部１の機体側面視での長手方向が梱包体横向きになり、かつ、刈取り前処理部フレーム４４が下側になる姿勢にして配置するとともに、各刈取り前処理部１の前処理部フレーム４４の連結部分５１及び昇降操作部分５２を、その下方に位置する第４基端側連結部３４及び第４先端側連結部３５に連結する。この後、各上下向き杆３２及び上端フレーム３３を組み付ける。次に、下段側分割梱包体１０の上に上段側分割梱包体３０を載置して両分割梱包体１０，３０を各連結手段２１によって連結する。
【００４３】
輸送先で刈取り前処理部１を取り出すと、図１０に示すように、下段ベースパレット１１、スペーサフレーム２０、上段ベースパレット３１、上端フレーム３３を積み重ねるとともに、これら各パレット１１，３１やフレーム２０，３３の間や内部に第1取付けフレーム１２、第２取付けフレーム１３、各連結フレーム１５，１６、各縦フレーム１４，３２を挟み込むか入れ込んだ返却荷状態にし、この返却荷状態で輸送元に返送して繰り返し使用することを可能にしてある。
【００４４】
下段側分割梱包体１０の各第１連結フレーム１５と、上段側分割梱包体３０の各縦フレーム３２とは、互いに流用することが可能なように、寸法及び形状が等しい同一仕様に作製してある。
【００４５】
図２に示すように、上段側分割梱包体３０の上段ベースパレット３１は、一方の第４基端側連結部３４及び第４先端側連結部３５を備えた分割ベースパレットと、他方の第４基端側連結部３４及び第４先端側連結部３５を備えた分割ベースパレットとを互いに逆向きの姿勢になる状態にして梱包体横方向に並べて連結ボルト７７で連結することによって構成してある。すなわち、寸法及び形状が等しい同一仕様に作製した一対の分割ベースパレットを組み合わせて安価に構成してある。
【００４６】
上段側分割梱包体３０の上端フレーム３３は、一対の分割上端フレームを連結ボルト７８で連結することによって構成してある。この各分割上端フレームと、下段側分割梱包体１０の前記各縦フレーム１４とは、互いに流用することが可能なように、寸法及び形状が等しい同一仕様に作製してある。
【００４７】
図１７，１８に示すように、前記支持杆５９の基端側が連結する支持部材６２は、前記供給駆動ケース５８に対して駆動軸６１の軸芯まわりで相対回動自在に連結している。つまり、コンバインを構成した状態において、前処理部フレーム４４を入力ケース４０の部位において入力軸５０に対して摺動調節して、刈取装置４７を自走機体に対してその横方向に移動調節することを可能にした際、供給搬送装置４９が支持杆５９と共に駆動軸６１の軸芯まわりで供給駆動ケース５８に対して揺動して、供給搬送装置４９の搬送始端側が刈取装置４７に追従して自走機体横方向に移動することを可能にしている。これにより、刈取り前処理部１を梱包する際、及び、刈取装置４７の横移動調節が不能な仕様のコンバインを構成する際、前記支持部材６２に基端側を連結ボルトによって脱着自在に連結した供給固定部材６３の先端側を、供給駆動ケース５８の入力ケース部５８ａに対して脱着自在に連結し、これによって供給搬送装置４９を駆動軸６１まわりで揺動しないようにロックしておくように構成してある。前記供給固定部材６３は、前記入力ケース部５８ａを構成するように連結されている一対の半割り入力ケースを締め付け連結する連結ボルト６４を連結用に利用して供給駆動ケース５８の入力ケース部５８ａに対して連結するようになっている。
【００４８】
〔別実施形態〕
上記実施形態の如くネジシリンダ５ａを備えた昇降駆動機構５によって揺動昇降操作されるように構成した刈取り前処理部１に替え、油圧シリンダを利用して揺動昇降操作されるように構成した刈取り前処理部のための梱包体にも本発明は適用できる。また、コンバインの刈取り前処理部の他、人参や玉ねぎなど各種の作物を収穫する作業機の引き抜き前処理部のための梱包体にも本発明は適用できる。従って、ネジシリンダ５ａを備えた昇降駆動機構５や、油圧モータなどを総称して昇降駆動機構５と呼称し、コンバインや各種の収穫作業機を総称して収穫機と呼称し、刈取り前処理部１や引き抜き前処理部などを総称して収穫前処理部１と呼称する。
【図面の簡単な説明】
【００４９】
【図１】梱包体の刈取り前処理部を梱包した状態での正面図
【図２】梱包体の非梱包状態での正面図
【図３】梱包体の非梱包状態での側面図
【図４】上段側分割梱包体の非梱包状態での正面図
【図５】下段側分割梱包体の非梱包状態での正面図
【図６】第1基端側連結部、第１先端側連結部の側面図
【図７】第２，３基端側連結部、第２，３先端側連結部の側面図
【図８】第1，２，３，４先端側連結部の斜視図
【図９】第1，２，３，４先端側連結部の連結作用状態での断面図
【図１０】梱包体の返却荷状態の斜視図
【図１１】コンバイン全体の側面図
【図１２】刈取り前処理部の自走機体に連結した状態での側面図
【図１３】刈取り前処理部の自走機体に連結した状態での平面図
【図１４】昇降駆動機構の側面図
【図１５】前処理部フレームの基端部の断面図
【図１６】前処理部フレームの補助搬送装置配設部の正面図
【図１７】株元側挟持搬送チェーンの平面図
【図１８】供給固定部材の配設部の側面図
【符号の説明】
【００５０】
１        刈取り前処理部
３        支持部
５        昇降駆動機構
１７ａ，１７ｂ，１７ｃ，３４      基端側連結部
１８ａ、１８ｂ、１８ｃ、３５      先端側連結部
４４      前処理部フレーム
５１      連結部分
５２      昇降操作部分分
Ｓ１      下段側梱包スペース
Ｓ２      上段側梱包スペース
【図１】
2006027717.tif 000003
【図２】
2006027717.tif 000004
【図３】
2006027717.tif 000005
【図４】
2006027717.tif 000006
【図５】
2006027717.tif 000007
【図６】
2006027717.tif 000008
【図７】
2006027717.tif 000009
【図８】
2006027717.tif 000010
【図９】
2006027717.tif 000011
【図１０】
2006027717.tif 000012
【図１１】
2006027717.tif 000013
【図１２】
2006027717.tif 000014
【図１３】
2006027717.tif 000015
【図１４】
2006027717.tif 000016
【図１５】
2006027717.tif 000017
【図１６】
2006027717.tif 000018
【図１７】
2006027717.tif 000019
【図１８】
2006027717.tif 000020